(57)【特許請求の範囲】
【請求項１】
レンズを保持するレンズ保持体と、
前記レンズ保持体に前記レンズの光軸方向から当接する当接体と、を有し、
前記当接体と前記レンズ保持体の当接部は、一方に、階段状の段差部が形成され、他の一方に、前記段差部に当接する突部が形成され、
前記段差部の各段差面側に、ＩＮＦ設定距離用の段差面と、ＮＥＡＲ設定距離用の段差面とを交互に形成したことを特徴とする光学機器のピント調整装置。
【請求項２】
前記当接体が、周方向に光軸方向の厚みが変化しているリング体であることを特徴とする請求項１に記載の光学機器のピント調整装置。
【請求項３】
前記レンズ保持体を前記リング体に向けて付勢する付勢手段が設けられていることを特徴とする請求項２に記載の光学機器のピント調整装置。
【請求項４】
前記リング体及び前記レンズ保持体の前後にフレームが配設され、
前記リング体と前記フレームの当接部は、一方に、一段あたりの高さ差が前記段差部に比べて大きい第２段差部が設けられ、他の一方に、前記第２段差部に当接する突部が形成されていることを特徴とする請求項２又は３に記載の光学機器のピント調整装置。
【請求項５】
前記レンズ保持体が回動可能にされ、
前記レンズの光軸に沿って設けられた案内棒と、
前記案内棒に案内され、前記レンズ保持体の回動を前記光軸回りに限定する規制部と、が設けられていることを特徴とする請求項１〜請求項３のうち何れか１項に記載の光学機器のピント調整装置。
【請求項６】
請求項１に記載の光学機器のピント調整装置を内蔵することを特徴とするカメラ。
【請求項７】
レンズの焦点位置を調整して製造するカメラ製造方法であって、
周方向に光軸方向の厚みが変化しているリング体と前記レンズを保持するレンズ保持体とを、カメラの前方部に設けたフレームと、それよりややフィルム面側に設けたフレームとの間に設け、
前記リング体と前記レンズ保持体の当接部には、一方に、階段状の段差部を形成し、他の一方に、前記段差部に当接する突部を形成し、
前記段差部の各段差面側に、ＩＮＦ設定距離用の段差面と、ＮＥＡＲ設定距離用の段差面とを交互に形成し、
前記リング体を回動させることにより前記レンズの焦点位置を調整することができ、
前記リング体の回転位置を選択することで、焦点位置を調整することが可能であることを特徴とするカメラ製造方法。
【発明の詳細な説明】
【０００１】
【発明の属する技術分野】
本発明は、レンズ位置を容易に調整して組立てることができる光学機器のピント調整装置、それを内蔵するカメラ、及び、カメラ製造方法に関する。
【０００２】
【従来の技術】
カメラ部品を組立ててカメラを製造する際、レンズやメカ部品の製作誤差が画質性能に影響を及ぼす場合、特に決められた被写体距離におけるピント位置をフィルム面に合致させるために、レンズ位置を調整して固定する必要がある。
【０００３】
例えば、図３３に示すように、レンズ８２を固定するレンズ枠ユニット８４とメインフレーム８６との間にワッシャ８８を１枚又は複数枚介在させ、フィルム面上に焦点が位置するように、レンズ８２とフィルム面Ｆとの間隔を調整している（なお、レンズの枚数は複数枚のものがあるが、図３３では簡便のため１枚のみ図示している）。
【０００４】
また、別の調整の仕方として、図３４に示すように、レンズ８２を保持するレンズホルダ９０を製造し、このレンズホルダ９０の外周に雄ねじを形成しておく。そして、レンズホルダ９０を固定するレンズホルダユニット９４のホルダ保持部９４Ｓに雌ネジを形成し、レンズホルダ９０をホルダ保持部９４Ｓにネジ係合させ、フィルム面Ｆの面上に焦点が位置するようにレンズホルダ９０を回転して調整し、調整された状態でレンズホルダ９０をホルダ保持部９４Ｓに接着剤等で固定する。
【０００５】
何れの調整の仕方であっても、フィルム面上からの焦点位置のずれ量が許容範囲内になるように調整する必要がある。
【０００６】
しかし、これらの調整の仕方では、以下のような問題がある。例えば、ワッシャ８８を介在させる調整では、ワッシャ８８の取付けは複数箇所で、しかも、調整量が変化した場合、それに応じて厚みや枚数を選択する必要があり、調整作業が煩雑で製造ミスが生じやすい。また、レンズホルダ９０を用いる調整では、１品毎に調整器にセットし調整と接着等による固定をする必要あり、調整作業に多大な時間を要した。
【０００７】
また、従来のカメラの一例として、特開平１０−３９３８５に開示されている。図３５（特開平１０−３９３８５の図１）に示すように、このカメラは、カメラ本体１２３の遮光筒１２７と鏡筒ユニット１２８との間に、撮影光軸に沿って螺旋状に傾斜するカム面１７１が形成されたカムリング１２９を回転自在に挟み込み、このカム面１２９に鏡筒ユニット１２８の突出片１３６ｂを当接させている。そして、カムリング１２９を回転させることにより、鏡筒ユニット１２８を撮影光軸に沿って移動させ、ピント調整を行う。
【０００８】
しかし、一品毎ではなく、ＮＥＡＲ、ＩＮＦ等でのピント調整をロット単位で容易に行えることが、生産性向上の観点で望まれている。
【０００９】
【発明が解決しようとする課題】
本発明は、上記事実を考慮して、レンズ位置をロット単位で容易に調整することができる光学機器のピント調整装置、これを内蔵するカメラ、及び、カメラ製造方法を提供することを課題とする。
【００１０】
【課題を解決するための手段】
請求項１に記載の発明では、レンズを保持するレンズ保持体と、前記レンズ保持体に前記レンズの光軸方向から当接する当接体と、を有し、前記当接体と前記レンズ保持体の当接部は、一方に、階段状の段差部が形成され、他の一方に、前記段差部に当接する突部が形成され、前記段差部の各段差面側に、ＩＮＦ設定距離用の段差面と、ＮＥＡＲ設定距離用の段差面とを交互に形成したことを特徴とする。
【００１１】
当接体及びレンズ保持体の前後にフレームが配設されていることが多い。突部の当接位置を調整する際、当接体及びレンズ保持体の少なくとも一方を移動（例えば回転移動）させて調整する。このようにして突部の当接位置を調整することにより、レンズの焦点位置をロット単位で容易に調整することが可能になる。また、上記段差部の各段差面側に、ＩＮＦ設定距離用の段差面と、ＮＥＡＲ設定距離用の段差面とを交互に形成しているので、２点オートフォーカス型のカメラであっても、部品組立時に焦点位置を容易に調整することができる。
【００１２】
請求項２に記載の発明では、前記当接体が、周方向に光軸方向の厚みが変化しているリング体であることを特徴とする。
【００１３】
周方向に光軸方向の厚みが変化しているリング体をレンズ光軸回りに回動させることにより、レンズ保持体がフィルムに対して進退動する。段差部の１段あたりの段差は、カメラ仕様等により、要求されるピント精度によって決定する。
【００１４】
これにより、フィルムとレンズとの間隔が調整され、レンズ焦点位置のフィルム面からのずれを許容範囲内にすることが可能になると共に、リング体の製造が容易で、しかも、フィルム面とレンズとの間隔調整が容易になる。
【００１５】
請求項３に記載の発明では、前記レンズ保持体を前記リング体に向けて付勢する付勢手段が設けられていることを特徴とする。
【００１６】
これにより、調整機構が簡素化され、レンズ保持体とメカ体とのガタを除却することができる。
【００１７】
請求項４に記載の発明では、前記リング体及び前記レンズ保持体の前後にフレームが配設され、前記リング体と前記フレームの当接部は、一方に、一段あたりの高さ差が前記段差部に比べて大きい第２段差部が設けられ、他の一方に、前記第２段差部に当接する突部が形成されていることを特徴とする。
【００１８】
フレームがリング体を支える構造にすることは可能であり、リング体を回動させることにより、リング体はフレームに対して進退動する。第２段差部の１段あたりの高さ差は、請求項１で記載した段差部の隣合わせのＩＮＦ面との段差に比べて大きいので、フレームに対するリング体のこの進退動は、請求項２や請求項３に記載の発明に比べて大きいステップの進退動となる。
【００１９】
従って、請求項４に記載の発明により、焦点位置の調整可能範囲を大幅に広くすることができる。
【００２０】
請求項５に記載の発明では、前記レンズ保持体が回動可能にされ、前記レンズの光軸に沿って設けられた案内棒と、前記案内棒に案内され、前記レンズ保持体の回動を前記光軸回りに限定する規制部と、が設けられていることを特徴とする。
【００２１】
これにより、当接用突部を１ヶ所にすることができ、簡易な構成で、焦点位置の調整範囲を広くすることができる。
【００２２】
請求項６に記載の発明では、請求項１に記載の光学機器のピント調整装置を内蔵することを特徴とする。
【００２３】
リング体及びレンズ保持体の前後にフレームが配設されているため、周方向に光軸方向の厚みが変化しているリング体の回動により、レンズ保持体がフィルムに対して進退動する。これにより、製造する際、フィルムとレンズとの間隔が調整され、レンズ焦点位置のフィルム面からのずれを許容範囲内にすることが可能なカメラが実現される。
【００２４】
請求項７に記載の発明では、レンズの焦点位置を調整して製造するカメラ製造方法であって、周方向に光軸方向の厚みが変化しているリング体と前記レンズを保持するレンズ保持体とを、カメラの前方部に設けたフレームと、それよりややフィルム面側に設けたフレームとの間に設け、前記リング体と前記レンズ保持体の当接部には、一方に、階段状の段差部を形成し、他の一方に、前記段差部に当接する突部を形成し、前記段差部の各段差面側に、ＩＮＦ設定距離用の段差面と、ＮＥＡＲ設定距離用の段差面とを交互に形成し、前記リング体を回動させることにより前記レンズの焦点位置を調整することができ、前記リング体の回転位置を選択することで、焦点位置を調整することが可能であることを特徴とする。
【００２５】
これにより、部品を組立ててカメラを製造する際、焦点位置の調整にかかる時間を大幅に短縮することができ、しかも、この調整を容易に行うことができる。
【００２６】
【発明の実施の形態】
以下、実施形態を挙げ、本発明の実施の形態について説明する。
【００２７】
［第１形態］
図１〜図４に示すように、第１形態に係るカメラ１０は、２点オートフォーカス（以下、２点ＡＦという）型のカメラである。
【００２８】
レンズ枠ユニット１４の被写体側（カメラ前方側）には、レンズ１２とフィルム面Ｆとの間隔を調整するフォーカスリング１６、及び、フォーカスリング１６を被写体側から支えるメインフレーム２０が順次設けられている。フォーカスリング１６はレンズ光軸回りに回動可能にされている。
【００２９】
また、レンズ枠ユニット１４のカメラ後方側には、シャッタベース２２、シャッタ羽根２４、及び、シャッタプレート２６が順次設けられ、シャッタプレート２６の後方側には、カメラ１０の筐体を構成するカメラ本体部３０が設けられている。シャッタベース２２には、フォーカスリング１６に向けてレンズ枠ユニット１４を付勢する圧縮コイルバネ３２が付けられている。
【００３０】
フォーカスリング１６の外周部にはギアが形成されており、フォーカスリング１６は、フォーカスリング駆動部３６によって回動可能となっており、カメラ側に設けてある測距装置により被写体距離を測距し、予め決められた距離より遠点と判断した場合は回動せず、近点と判断した場合のみ決められた角度だけ回動させられる。
【００３１】
このフォーカスリング１６の回動により、レンズ１２の焦点位置とフィルム面Ｆとの間隔が所定量補正され、被写体距離が近位置の場合、ピントが合うようにされている。
【００３２】
図５は、焦点位置の調整量を１段当たり０．０５ｍｍの高精度とし、本発明によって１５段もの広い調整可能範囲を実現した場合を示す。これにより、レンズとメカ部品との製作誤差による焦点位置のずれ量を±０．３５ｍｍの広範囲でカバーできている。以下、このことを順次、詳細に説明する。
【００３３】
［第１カムによる焦点位置の調整］
図６に示すように、フォーカスリング１６のフィルム側（レンズ枠ユニット１４の側）の内縁部には凹凸が形成されており（以下、フォーカスリング１６のフィルム側のこの凹凸を第１カム４０という）、第１カム４０には、レンズ枠ユニット１４のカメラ後方側に形成された凸部（カムフォロワー）１４Ａ〜Ｃ（図９参照）が当接する。第１カム４０は、図７に示すように、１２０°毎に分けられた３つの領域４０Ａ〜Ｃで同形状である。
【００３４】
図８に示すように、領域４０Ａ〜Ｃでは、ＩＮＦ設定距離における焦点位置の調整に用いる凸部と、それに対のＮＥＡＲ設定距離における焦点位置用の凹部とが交互に形成されており、その高さは、ＩＮＦ、ＮＥＡＲの両者とも階段状に変化している。各領域では、隣り合う凸部と凹部との高さ差Δｈ１はＩＮＦとＮＥＡＲの切換えに要するレンズ繰出量で、ここは０．３ｍｍとしている。Δｈ１は各調整ポイントで一定である。凹部を隔てて隣り合う凸部の高さ差Δｈ２は０．０５ｍｍである。凸部を隔てて隣り合う凹部の高さ差も当然Δｈ２（０．０５ｍｍ）である。なお、第１カム４０の凸部及び凹部の被当接面（レンズ枠ユニット１４の凸部１４Ａ〜Ｃが当接する面）は、何れも平坦面にされている。
【００３５】
ここでは、フォーカスリング１６を回動させることによって、ＩＮＦ位置での調整について、焦点位置を５段階で調整できる。この段数はフォーカスリング１６の位置精度や第１カム４０の傾斜部角度により制約されるため、むやみに多く設定することはできない。また、１２０°毎に同形状の凹凸が形成されている。
【００３６】
なお、高さ差Δｈ２は焦点位置の調整精度であり、より細いほど高精度であるが、調整器や検査者の調整分解能や、あるいは画質の劣化にほとんど影響しない数値以下に設定しても無意味であり、また、大きすぎると、やはり画質劣化が起こる。よって、適正値は、前述した事柄やカメラの仕様により決定される。なお、ここでは、０．０５ｍｍとしている。
【００３７】
［第１カム及び第２カムによる１５段階にわたっての焦点位置の調整］
また、図９に示すように、フォーカスリング１６の被写体側にも凹凸が形成されており（以下、フォーカスリング１６の被写体側に形成されたこの凹凸を第２カム４４という）、図６に示すように、第２カム４４にはメインフレーム２０のフィルム側に形成された凸部（カムフォロワー）２０Ｄ〜Ｆが当接する。フォーカスリング１６を回動させることにより、焦点位置を３段階で調整できるようになっており（図８参照）、第１カム４０による５段階の調整との相乗効果により、ＩＮＦの焦点位置を１５段階で調整できるようになっている。
【００３８】
図９、図１４に示すように、第２カム４４は、１２０°毎に３つの領域４４Ｄ〜Ｆに分けて形成されている。
【００３９】
各領域では、レンズ枠ユニット１４の中心からの半径距離の違いにより、最内部、最外部、及び、最外部と最内部との間の中央部、の３部に分かれて凹凸が形成されている。
【００４０】
領域４４Ｄでは、最内部には凸部４４ＤＰが形成され、中央部は平坦部４４ＤＦであり、最外部には凹部４４ＤＨが形成されている。領域４４Ｅでは、最内部は平坦部４４ＥＦであり、中央部には凹部４４ＥＨが形成され、最外部には凸部４４ＥＰが形成されている。領域４４Ｆでは、最内部には凹部４４ＦＨが形成され、中央部には凸部４４ＦＰが形成され、最外部は平坦部４４ＦＦである。図８に示すように、平坦部４４ＤＦ、４４ＥＦ、４４ＦＦの高さ位置を０とした場合、平坦部４４ＤＦ、４４ＥＦ、４４ＦＦと凸部４４ＤＰ、４４ＥＰ、４４ＦＰとの高さ差Δｈ３は０．２５ｍｍであり、平坦部４４ＤＦ、４４ＥＦ、４４ＦＦと凹部４４ＤＨ、４４ＥＨ、４４ＦＨとの高さ差も同じくΔｈ３（０．２５ｍｍ）である。なお、凸部、平坦部、凹部の表面は、何れも平面である。
【００４１】
メインフレーム２０の凸部２０Ｄ〜Ｆは１２０°毎に均等に形成されており、この凸部が第２カム４４に当接することにより、焦点位置が３段階に調整可能である。具体的に図を用いて説明すると、メインフレーム２０の３つの凸部２０Ｄ〜Ｆは、図１４では第２カム４４を構成する３つの凸部４４ＥＰ、４４ＦＰ、４４ＤＰにそれぞれ当接しており、図２０では平坦部４４ＦＦ、４４ＤＦ、４４ＥＦにそれぞれ当接しており、図２４では凹部４４ＤＨ、４４ＥＨ、４４ＦＨにそれぞれ当接している。すなわち、通常、第１カム４０だけでは１２０°の範囲でしか調整範囲がないが、第２カム４４を設置することで最大３６０°の調整範囲を得ることができる。
【００４２】
また、図１４などに示すように、フォーカスリング１６の被写体側には１〜１５の数字が打刻され、各数字の外側には目印マークＭが形成されている。図１３に示すように、この目印マークＭがフォーカスリング駆動部３６の後述のギア部３６Ｇに形成されたマークＭ'の位置に合わせて組み込むが、このとき目印マークＭの直ぐ近くに打刻された数字が調整状態のナンバーを示す。例えば図１３及び図１４では調整Ｎｏ．１の状態にされていることを示す。なお、図８では、各調整Ｎｏ．で調整されている状態について、レンズ枠ユニット１４の凸部１４Ａ〜Ｃが当接するＩＮＦ用凸部に調整Ｎｏ．を付している。
【００４３】
［フォーカスリングのＡＦ作動機構］
図１０に示すように、フォーカスリング駆動部３６は、フォーカスリング１６に形成されたギアと噛み合うギア部３６Ｇと、ギア部３６Ｇの回動を停止させるＩＮＦ側ストッパ３６Ｊ及びＮＥＡＲ側ストッパ３６Ｋと、ギア部３６Ｇ及びメインフレーム２０を貫通し、ギア部３６Ｇに回動力を伝達するフォーカスレバー３６Ｌ（図１０〜図１２参照）と、を有する。
【００４４】
図１２に示すように、フォーカスリング駆動部３６のプランジャ３６Ｐを構成する進退可能な鉄芯３６Ｓの先端には、フォーカスレバー３６Ｌの端部に係合する凹み部３６Ｈを有する係合部３６Ｂが設けられており、また、プランジャ３６Ｐには、吸引した鉄芯３６Ｓを元の位置に戻す向きに付勢する圧縮コイルバネ３６Ｒが取付けられている。
【００４５】
被写体距離が近位置が判断されたときはプランジャ３６Ｐのコイルに通電して、鉄芯３６Ｓの引き込み動作によってフォーカスレバー３６Ｌ、更にはギア部３６Ｇが回動する。これにより、フォーカスリング駆動部３６はＮＥＡＲ方向へ回転し、ＮＥＡＲ側ストッパ３６Ｋで止まる。同時に、フォーカスリング１６の回動位置がＮＥＡＲ位置に切換わる。
【００４６】
なお、回動位置の調整後、焦点位置が移動することを防止するために、フォーカスリング１６は回動不能にされる。その後、この状態を保持しながらシャッタ駆動操作に移り、撮影を完了する。次に、プランジャ３６Ｐのコイルへの通電を断つと、圧縮コイルバネ３６Ｒの作用で、フォーカスリング１６は元のＩＮＦ位置へ復帰する。また、被写体距離が遠点の場合は、プランジャ３６Ｐへの通電は行わずに直ちにシャッタ駆動動作に移る。
【００４７】
［焦点位置調整の具体例］
図１４に示すように、フォーカスリング１６の被写体側に打刻された数字１の近くの目印マークＭがマークＭ'の位置に到達しているときは、カメラ１０はＩＮＦについての調整Ｎｏ．１の状態に調整されている。この状態では、レンズ枠ユニット１４の凸部１４Ａ〜Ｃは、何れも、第１カム４０の凸部のうち高さが最も高い凸部に当接している（図８、図１５参照）。
【００４８】
図８は調整Ｎｏ．８でのカムフォロワー位置を示している。この図では、第２カム４４の平坦部にメインフレーム２０の凸部２０Ｄ〜Ｆが当接し、かつ、第１カム４０の５段階の凸部のうちの３段階目の凸部にレンズ枠ユニット１４の凸部１４Ａ〜Ｃが当接している。この状態を基準位置とすると、調整Ｎｏ．１の状態では、図中で点線で示した位置となり、第１カム４０によりレンズ枠ユニット１４は基準位置から２段階（０．０５ｍｍ×２＝０．１ｍｍ）だけ後退し、同時に第２カム面は、平坦部４４ＤＦ〜４４ＦＦから凸部４４ＤＰ〜４４ＦＰに切換わるため、凸部２０Ｄ〜Ｆによってフォーカスリング１６とレンズ枠ユニット１４とはΔｈ３＝０．２５ｍｍだけ押し上げられる。よってトータルで−０．１−０．２５＝−０．３５ｍｍだけレンズ枠ユニット１４は光軸方向へ調整されることになる。
【００４９】
同様の調整により、ＩＮＦについて、調整Ｎｏ．５で調整された状態（図１８、図１９参照）、調整Ｎｏ．６で調整された状態（図２０、図２１参照）、調整Ｎｏ．１０で調整された状態（図２２、図２３参照）、調整Ｎｏ．１１で調整された状態（図２４、図２５参照）、調整Ｎｏ．１５で調整された状態（図２６、図２７参照）が実現され得る。すなわち、調整Ｎｏ．１〜１５について、同様にＩＮＦ設定距離の焦点位置の調整がされ得る。
【００５０】
このようにして、図８に示した移動量表示Ｕ〜Ｗに示すように、ＩＮＦについて、上記の基準位置から−０．３５ｍｍ〜＋０．３５ｍｍの範囲内で０．０５ｍｍ毎に焦点位置を移動させることが可能である。
【００５１】
以上説明したように、第１形態により、２点ＡＦ型のカメラ１０を組立てる際、作業者は、決められた調整Ｎｏ．にフォーカスリング１６とフォーカスレバー３６のギア噛み合い位置を合わせて組み立てるだけで、フィルム面Ｆに対してレンズ１２位置を容易に変化させて焦点位置を調整することができるので、カメラ１０の組立て時での焦点位置の調整にかかる時間を大幅に短縮させることができる。
【００５２】
前記の調整Ｎｏ．の決定に関しては、レンズ及びメカ部品の製作誤差が１ロット内にて安定していると考えれば、ロット投入開始時に数台のピントデータで決定してもよいし、また、デイリーで同作業を行ってもよい。更に、１台毎に調整器にセットして調整することも可能である。
【００５３】
［第２形態］
図２８に示すように、第２形態に係るカメラ５０は、レンズの光軸方向に沿って、２本の案内棒５４（以下、単に案内棒５４という）と、レンズを保持するレンズ枠ユニット５５とを備えており、レンズ枠ユニット５５は、案内棒５４にそれぞれ案内される脚部５５Ｌを有する。案内棒５４はレンズ光軸に平行に設けられている。
【００５４】
また、カメラ５０はレンズ枠ユニット５５に当接するフォーカスリング５２を備えており、フォーカスリング５２は、裏面側に第１形態と同じ第１カム４０を有する。フォーカスリング５２を支えるメインフレーム５７の裏面側には、フォーカスリング５２が回動しやすいようにガイドする筒部５７Ｔが設けられている。
【００５５】
案内棒５４には、シャッタベース５８と脚部５５Ｌとの間に介在する圧縮コイルバネ５９が挿通して設けられており、脚部５５Ｌはフォーカスリング５２へ向けて常に付勢されている。
【００５６】
これにより、レンズ枠ユニット５５はレンズ光軸以外の軸回りに回動することが防止されている。従って、第１カム４０に当接する凸部（カムフォロワー）５５Ｐを脚部５５Ｌに１箇所にのみ形成しておいても、フォーカスリング５２の回動位置調整によるレンズの焦点位置調整を充分に行うことができる。
【００５７】
なお、フォーカスリング５２には、第１形態で説明したような第２カムは形成されておらず、構造が簡素になっいる。
【００５８】
［第３形態］
図２９に示すように、第３形態に係るカメラ６６は、第１形態に比べ、フォーカスリング７０に第２カムが形成されておらず、図３０に示すように、メインフレーム７２には、第２カムと当接する凸部は形成されていない。このため、フォーカスリング７０の第１カム７４（フォーカスリング７０のフィルム側の凹凸）によってのみＩＮＦについて焦点位置が調整される。
【００５９】
これにより、焦点位置の調整可能範囲は第１形態に比べて狭くなるが、構成を簡易にすることができる。
【００６０】
［第４形態］
図３１に示すように、第４形態に係るカメラ７６は、２点フォーカスカメラではなく、パンフォーカスカメラの場合を示す。第４形態では、ＩＮＦ及びＮＥＡＲ用の２面は必要なく、全域でフォローする１面があれば良いので、フォーカスリング７８に形成された第１カム８０（フォーカスリング７８のフィルム側の凹凸）の形状が、第３形態で説明した第１カム７４（図３０参照）よりも更に簡素である（図３２も参照）。
【００６１】
また、フォーカスリング７８の回転位置を調整した後、その調整位置にフォーカスリング７８が固定されるように、フォーカスリング７８の外周部に形成されたギアに噛み合う回転規制部７７Ｓがメインフレーム７７に形成されている。
【００６２】
第４形態により、構成を大幅に簡易にすることができる。
【００６３】
【発明の効果】
本発明は上記構成としたので、以下の効果を奏することができる。
【００６４】
請求項１に記載の発明によれば、レンズの焦点位置をロット単位で容易に調整することが可能になる。また、２点オートフォーカス型のカメラであっても、部品組立時に焦点位置を容易に調整することができる。
【００６５】
請求項２に記載の発明によれば、リング体を回動させることにより、フィルム面とレンズとの間隔が調整され、レンズ焦点位置のフィルム面からのずれを許容範囲内にすることが可能になると共に、リング体の製造が容易で、しかも、フィルム面とレンズとの間隔調整が容易になる。
【００６６】
請求項３に記載の発明によれば、調整機構が簡素化され、レンズ保持体とメカ体とのガタを除却することができる。
【００６７】
請求項４に記載の発明によれば、焦点位置の調整可能範囲を大幅に広くすることができる。
【００６８】
請求項５に記載の発明によれば、当接用突部を１ヶ所にすることができ、簡易な構成で、焦点位置の調整範囲を広くすることができる。
【００６９】
請求項６に記載の発明によれば、製造する際、フィルムとレンズとの間隔が調整され、レンズ焦点位置のフィルム面からのずれを許容範囲内にすることが可能なカメラが実現される。
【００７０】
請求項７に記載の発明によれば、部品を組立ててカメラを製造する際、焦点位置の調整にかかる時間を大幅に短縮することができ、しかも、この調整を容易に行うことができる。
【図面の簡単な説明】
【図１】  第１形態のカメラで、フィルムに焦点を結ぶまでの構成部品を示す展開斜視図である。
【図２】  第１形態のカメラで、フィルムに焦点を結ぶまでの構成部品を示す展開斜視図である。
【図３】  図２に示した構成部品を組み上げた状態を示す斜視図である。
【図４】  図３の拡大断面図である。
【図５】  焦点距離の調整範囲を示す側面図である。なお、距離を示す数値の単位はｍｍであり、各位置を示す１〜１５の数字は調整ナンバーを示す。
【図６】  図１の部分拡大図である。
【図７】  第１形態のカメラのフォーカスリングの斜視図である。
【図８】  第１形態で、レンズとフィルムとの間隔を１５段階にわたって調整できることを示す模式図であり、実線は調整Ｎｏ．８の状態、破線は調整Ｎｏ．１の状態を示す。なお、各調整ナンバーの下方にレンズ移動量を示している。
【図９】  図２の部分拡大図である。
【図１０】  フォーカスリングの回動機構を示す斜視図である。
【図１１】  フォーカスリングの回動機構を示す背面図である。
【図１２】  フォーカスリングを回動させるフォーカスリング駆動部の構成を示す部分断面図である。
【図１３】  フォーカスリングによる調整状態を示す正面図である（メインフレームが設けられている状態）。
【図１４】  フォーカスリングによる調整状態を示す正面図である（メインフレームが設けられていない状態）。
【図１５】  図１４に示した調整状態で、レンズ枠ユニットの凸部の第１カムへの当接位置を示す正面図である。ＩはＩＮＦで用いる領域（凸部）、ＮはＮＥＡＲで用いる領域（凹部）を示す。
【図１６】  フォーカスリングによる調整状態を示す正面図である。
【図１７】  図１６に示した調整状態で、レンズ枠ユニットの凸部の第１カムへの当接位置を示す正面図である。ＩはＩＮＦで用いる領域（凸部）、ＮはＮＥＡＲで用いる領域（凹部）を示す。
【図１８】  フォーカスリングによる調整状態を示す正面図である。
【図１９】  図１８に示した調整状態で、レンズ枠ユニットの凸部の第１カムへの当接位置を示す正面図である。
【図２０】  フォーカスリングによる調整状態を示す正面図である。
【図２１】  図２０に示した調整状態で、レンズ枠ユニットの凸部の第１カムへの当接位置を示す正面図である。
【図２２】  フォーカスリングによる調整状態を示す正面図である。
【図２３】  図２２に示した調整状態で、レンズ枠ユニットの凸部の第１カムへの当接位置を示す正面図である。
【図２４】  フォーカスリングによる調整状態を示す正面図である。
【図２５】  図２４に示した調整状態で、レンズ枠ユニットの凸部の第１カムへの当接位置を示す正面図である。
【図２６】  フォーカスリングによる調整状態を示す正面図である。
【図２７】  図２６に示した調整状態で、レンズ枠ユニットの凸部の第１カムへの当接位置を示す正面図である。
【図２８】  第２形態のカメラの部分展開斜視図である。
【図２９】  第３形態のカメラの部分展開斜視図である。
【図３０】  第３形態のカメラの部分展開斜視図である。
【図３１】  第４形態のカメラの部分展開斜視図である。
【図３２】  第４形態で、レンズとフィルムとの間隔を５段階にわたって調整できることを示す第１カムの概念図である。
【図３３】  従来のカメラの部分側面断面図である。
【図３４】  従来のカメラの部分側面断面図である。
【図３５】  従来のカメラの部分展開斜視図である。
【符号の説明】
１０  カメラ
１２  レンズ
１４  レンズ枠ユニット（レンズ保持体）
１４Ａ〜Ｃ  凸部（突部）
１６  フォーカスリング（リング体）
２０  メインフレーム（フレーム）
２０Ｄ〜Ｆ  凸部（突部）
３２  圧縮コイルバネ（付勢手段）
４０  第１カム（段差部、段差面）
４４  第２カム（第２段差部）
５０  カメラ
５２  フォーカスリング
５４  案内棒
５５  レンズ枠ユニット
５５Ｌ  脚部（規制部）
５５Ｐ  凸部（突部）
５７  メインフレーム（フレーム）
６６  カメラ
７０  フォーカスリング
７２  メインフレーム（フレーム）
７４  第１カム（段差部）
７６  カメラ
７７  メインフレーム（フレーム）
８０  第１カム（段差部）
８２  レンズ
８４  レンズ枠ユニット（レンズ保持体）
８６  メインフレーム（フレーム）
９０  レンズホルダ（レンズ保持体）
１２９  カムリング（リング体）
１３６ｂ  突出片（突部）
【図１】
0003857561.tif 000002
【図２】
0003857561.tif 000003
【図３】
0003857561.tif 000004
【図４】
0003857561.tif 000005
【図５】
0003857561.tif 000006
【図６】
0003857561.tif 000007
【図７】
0003857561.tif 000008
【図８】
0003857561.tif 000009
【図９】
0003857561.tif 000010
【図１０】
0003857561.tif 000011
【図１１】
0003857561.tif 000012
【図１２】
0003857561.tif 000013
【図１３】
0003857561.tif 000014
【図１４】
0003857561.tif 000015
【図１５】
0003857561.tif 000016
【図１６】
0003857561.tif 000017
【図１７】
0003857561.tif 000018
【図１８】
0003857561.tif 000019
【図１９】
0003857561.tif 000020
【図２０】
0003857561.tif 000021
【図２１】
0003857561.tif 000022
【図２２】
0003857561.tif 000023
【図２３】
0003857561.tif 000024
【図２４】
0003857561.tif 000025
【図２５】
0003857561.tif 000026
【図２６】
0003857561.tif 000027
【図２７】
0003857561.tif 000028
【図２８】
0003857561.tif 000029
【図２９】
0003857561.tif 000030
【図３０】
0003857561.tif 000031
【図３１】
0003857561.tif 000032
【図３２】
0003857561.tif 000033
【図３３】
0003857561.tif 000034
【図３４】
0003857561.tif 000035
【図３５】
0003857561.tif 000036